(57)【要約】      （修正有）【課題】手を使わない操作を増やすことのできる改良型のレバー式クランプ器具を提供する。【解決手段】器具は、第一及び第二のジョーを含み、第一及び第二のジョーの一方は作業者がレバー組立体を操作することによって移動可能であり、ロック手段は、前記移動可能ジョーを所定の位置に選択的にロックするために設けられる。ロック手段は、作業者の足により作動可能であり、足による作業によって作業者の手は自由に加工物に対して作業を行うことができる。特定の作業動作において使用するために、器具に追加のアクセサリ部品を選択的に取り付けられるようにするための係合システムもまた提供される。【選択図】図１ａ
2017213673.tif 000002
【特許請求の範囲】
【請求項１】
支持構造と、少なくとも２つのクランプジョーであって、前記ジョーの少なくとも１つが前記ジョーの他方に対して直線的に移動可能であり、前記ジョーの間に空間が画定され、前記空間で加工物が前記ジョーにより所定の位置に保持可能なクランプジョーと、レバー組立体であって、前記支持構造に枢支連結され、作業者によって、前記移動可能ジョーと係合し、前記移動可能ジョーを駆動してクランプ力を前記ジョー間に位置する加工物に加えるように枢動されるように設けられるレバー組立体と、前記少なくとも１つの移動可能ジョーを作業者の選択位置にロックするためのロック手段と、を含むクランプ器具において、前記ロック手段は、前記作業者が足でロック手段作動装置と接触することによって作動可能であるクランプ器具。
【請求項２】
前記ロック手段作動装置は、前記作業者の足が接触するペダルを含む、又は前記ペダルに連結される、請求項１に記載の器具。
【請求項３】
前記ペダルは、前記レバー組立体の操作もするように設けられる、請求項２に記載の器具。
【請求項４】
前記ロック手段作動装置は、前記レバー組立体に対して枢動可能であり、前記作動装置が第一の方向に移動したときの前記少なくとも１つのジョーの位置の選択的ロックと、前記作動装置が第二の方向に移動したときの前記少なくとも１つのジョーの前記位置のロック解除を行うことができる、請求項２又は３に記載の器具。
【請求項５】
前記第二の方向は前記第一の方向と反対である、請求項４に記載の器具。
【請求項６】
前記ペダルは、前記作業者が前記器具の前に立って前記器具を使用するときに作業者の足で操作されるように前記器具に取り付けられている、請求項２に記載の器具。
【請求項７】
前記ロック手段作動装置は、前記足ペダルと一体に形成される、請求項３に記載の器具。
【請求項８】
前記足ペダルは、前記作業者の足が接触して、前記レバー組立体を枢動させて前記移動可能ジョーを移動させる部分を含む、請求項７に記載の器具。
【請求項９】
前記ロック手段作動装置は、前記足ペダルの縁に位置する部分として形成され、前記部分は接触されると前記ロック手段をロックするための第一の面と、接触されると前記ロック手段を解除するための第二の面と、を含む、請求項７に記載の器具。
【請求項１０】
前記ロック手段作動装置の前記第一の面は、前記作業者のつま先によって作用されて、前記ロック手段作動装置が第一の方向に移動するように設けられ、前記ロック手段作動装置の前記第二の面は、前記作業者の踵によって作用されて、前記ロック手段作動装置が反対方向に移動するように設けられる、請求項９に記載の器具。
【請求項１１】
前記足ペダルは、前記レバー組立体により前記移動可能ジョーのための移動手段に連結され、前記ロック手段作動装置は、前記ペダルが連結される第一及び第二の部材を介して前記ロック手段に連結され、前記ペダルは前記レバー組立体とは独立して選択的に移動可能である、請求項１０に記載の器具。
【請求項１２】
前記部材及びロック手段は、前記ロック手段が係合しているときに前記レバー組立体の枢動を阻止する、請求項１１に記載の器具。
【請求項１３】
前記ロック手段がロック解除されると、前記レバー組立体の往復移動は駆動手段を繰り返し操作して、前記移動可能ジョーを固定ジョーに向かって漸次前進させる、請求項１に記載の器具。
【請求項１４】
前記移動可能ジョーは、前記ジョー間に位置する前記加工物に、考えられるクランプ力範囲内の選択的クランプ力を加える、請求項１に記載の器具。
【請求項１５】
前記クランプ力は、前記作業者が前記レバー組立体と接触したままにする必要なく、加えられ、保持される、請求項１４に記載の器具。
【請求項１６】
前記レバー組立体は、該レバー組立体が解放されると、レスト位置に付勢されて戻る、請求項１に記載の器具。
【請求項１７】
前記支持構造は長尺の支持体を含み、該長尺の支持体の中にレールが画定され、該レールに沿って前記移動可能ジョーが固定ジョーに向かって、及び前記固定ジョーから離れるように移動可能である、請求項１に記載の器具。
【請求項１８】
前記移動可能ジョーは、前記支持体に対して移動可能な運び台の一部として設けられる、請求項１７に記載の器具。
【請求項１９】
前記支持体のレールは、前記運び台の内部に設けられる、請求項１８に記載の器具。
【請求項２０】
少なくとも３つの支持脚が前記支持体を支持面から一定の距離で支持する、請求項１７に記載の器具。
【請求項２１】
前記支持脚及びレバー組立体は、前記支持体に対して保管状態と使用中の状態との間で移動可能に設けられる、請求項２０に記載の器具。
【請求項２２】
前記保管状態にあるとき、前記支持脚及びレバー組立体は、前記支持体の長手方向軸と実質的に沿って並ぶ、請求項２１に記載の器具。
【請求項２３】
前記レバー組立体とロック手段は、固定ジョーが位置する前記支持体の端に位置する、請求項１に記載の器具。
【請求項２４】
前記支持体は、少なくとも１つのアクセサリ部品を位置決定できる位置決定手段を含む、請求項１７に記載の器具。
【請求項２５】
前記位置決定手段は、前記位置決定手段の中に形成された複数のオス及び／又はメス係合手段を有する第一の部位の形態で設けられ、第二の部位に設けられた他方の一致するオス及び／又はメス係合手段を選択的に受容する、請求項２４に記載の器具。
【請求項２６】
前記係合手段は、アクセサリ部品と前記支持体との係合及び解除を滑り移動によって可能にする、請求項２５に記載の器具。
【請求項２７】
前記位置決定手段は、前記第一及び第二の部位の前記滑り移動を阻止する位置へと移動可能である別の位置決定組立体を含む、請求項２６に記載の器具。
【請求項２８】
前記位置決定組立体は前記位置へと付勢される、請求項２７に記載の器具。
【請求項２９】
第一及び第二のクランプジョーが支持体の中に位置する前記支持体を含む支持構造により担持される、調節可能に離間された２つのジョーと、前記ジョーの少なくとも一方を他方に対して移動させる手段と、固定ジョーと、を含むクランプ器具であって、前記支持体は少なくとも１つのアクセサリ部品を位置決定できるようにする位置決定手段を含み、前記位置決定手段は、前記支持体の中に形成された複数のオス及び／又はメス係合手段を有する、前記支持体に設けられた第一の部位の形態で設けられ、前記アクセサリ部品に設けられる第二の部位に設けられた、他方の一致するオス及び／又はメス係合部を選択的に受容し、前記係合手段は、前記部位、したがって、前記第一及び第二の部位がそれぞれ連結されるか形成される前記アクセサリ部品と支持体の係合及び解除を可能にするクランプ器具。
【請求項３０】
前記係合及び解除は相対的滑り移動によって実現される、請求項２９に記載の器具。
【請求項３１】
前記位置決定手段は、前記第一及び第二の部位の前記滑り移動を阻止する位置へと移動可能な別の位置決定組立体を含む、請求項３０に記載の器具。
【請求項３２】
前記位置決定組立体は、前記位置へと付勢される、請求項３１に記載の器具。
【発明の詳細な説明】
【技術分野】
【０００１】
本願の発明は、クランプ器具に関し、これは間に１つ又は複数の加工物を挟んで固定し、作業者が加工物に作業を実施できるような少なくとも１対のクランプジョーを備える万力を含む。
【背景技術】
【０００２】
典型的に、ジョーは支持体フレーム上に設けられ、これは、ジョーとそれにより保持される加工物を、作業者が立ち姿勢で加工物に作業を実施するのに適した高さに位置するようにできる高さである。
【０００３】
クランプ装置の１つの既知の形態は欧州特許第０５７３５０１号に示されており、これは貯蔵と輸送のための畳んだ状態と加工物の保持に使用される展開させた状態との間で変形可能なポータブル器具を開示している。
【０００４】
同特許に示されているクランプ装置は、支持体を有し、ジョーの一方を他方の固定ジョーに向かって、及びそこから離れるように移動させて、ジョー間と支持体の上に位置する加工物の上の考えられるクランプ位置範囲内のあるクランプ場所に位置するようにすることができる。ジョーの移動は、作業者がジョーに連結されたペダル機構を操作することによって実現可能であり、足ペダルの移動により、前記ジョーは固定ジョーに向かって移動する。ジョーが求められている場所にあるとき、作業者は、支持体の上に設けられたロックアセンブリスイッチをロック位置に移動させて、ジョーをロック位置にロックする。ロックアセンブリスイッチは支持体上に設置され、それによって、必要なときに作業者の手でそれをロック位置へとスライドさせることによって操作されなければならず、またジョーを固定ジョーから離れるように移動させる必要があるときには、ロックアセンブリスイッチが作業者の手でロック解除位置へとスライドされなければならない。
【０００５】
この形態の装置は、様々な用途で商業的に成功し、作業者にとって有利であることが分かっているものの、作業者が経験する問題があることも知られている。これらの問題の１つは、現在の作業システムにおいて、固定ジョーに向かうジョーの移動はペダルを足で動かすことにより実行されるが、ジョーの位置に関するロックアセンブリはそれとは別の機構であり、手で操作する必要があるという事実に関する。これはしたがって、作業者が別のロック機構を操作し忘れる可能性があることを意味し、また、作業者は、移動可能ジョーが所定の位置にロックされているときに、おそらくは加工物を反対の手で所定の位置に支持もしなければならない一方で、移動及びロック機構の両方を操作できるように片足と片手が空いていなければならないことも意味する。これは、時として難しく、作業者が実現するには危険である可能性がありうる。
【０００６】
別の問題は、既知の種類の器具は様々な目的のために、様々なアクセサリと共に使用できるが、これらのアクセサリを所定の位置に取り付け、取り外すのに時間がかかりうる。実際に、作業者にとってフラストレーションの原因となり、及び／又はアクセサリが全く使用されなくなることを意味する可能性があることがわかっており、これは器具が不適切でおそらくは危険な方法で使用されることを意味する可能性がある。
【発明の概要】
【発明が解決しようとする課題】
【０００７】
したがって、本発明の目的は、手を使わない操作を増やすことのできる改良型のレバー式クランプ器具を提供することである。別の目的は、器具へのアクセサリの着脱を改良し、それによって器具の使いやすさと有用性を増大させることができるようにすることである。
【課題を解決するための手段】
【０００８】
本発明の第一の態様によれば、支持構造と、少なくとも２つのクランプジョーであって、ジョーの少なくとも一方がジョーの他方に対して直線的に移動可能であり、ジョーの間に空間が画定され、空間で加工物がジョーにより所定の位置に保持可能なクランプジョーと、レバー組立体であって、支持構造に枢支連結され、作業者によって、前記移動可能ジョーと係合し、前記移動可能ジョーを駆動してクランプ力をジョー間に位置する加工物に加えるように枢動されるように設けられるレバー組立体と、少なくとも１つの移動可能ジョーを作業者の選択位置にロックするためのロック手段と、を含むクランプ器具が提供され、ロック手段は、作業者が足でロック手段作動装置と接触することによって作動可能である。
【０００９】
１つの実施形態において、ロック手段作動装置は、同じく作業者の足で作動可能なレバー組立体の一部として設けられる。典型的に、レバー組立体との接触は、作業者が足をレバー組立体の一部として設けられるペダルに載せることを通じて行われる。
【００１０】
１つの実施形態において、ロック手段作動装置は、レバー組立体に対して枢動可能であり、作動装置が第一の方向に移動したときの移動可能ジョーの位置の選択的ロックと、作動装置が第二の方向に移動したときの移動可能ジョーの位置のロック解除を行うことができる。
【００１１】
最も典型的に、第二の方向は第一の方向と反対である。
【００１２】
１つの実施形態において、前記ロック手段作動装置とレバー組立体の足ペダルは器具に関して、作業者の同じ足で操作されように取り付けられる。
【００１３】
典型的には、ロック手段作動装置とレバー組立体の足ペダルは、作業者が器具の前に立って器具を使用するときに操作できる。
【００１４】
１つの実施形態において、ロック手段作動装置は、レバー組立体の足ペダルとは別に設けられる。
【００１５】
好ましくは、前記ロック手段作動装置は足ペダルと一体に形成される。
【００１６】
何れの実施形態においても、ロック手段がロック位置に移動すると、ロック手段が解放されるまで、レバー組立体の枢動が阻止され、したがって、移動可能ジョーの移動が阻止される。
【００１７】
この実施形態において、足ペダルは作業者の足が接触して、レバー組立体を枢動させて、少なくとも一方のジョーを移動させる部分を含み、ロック手段作動装置は、足ペダルの縁に位置する部分として形成され、前記部分は接触されるとロック手段をロックするための第一の面と、接触されるとロック手段を解除するための第二の面と、を含む。
【００１８】
典型的に、ロック手段作動装置の第一の面は、作業者のつま先が接触して、ロック手段作動装置を第一の方向に移動させるように設けられ、ロック手段作動装置の第二の面は、作業者の踵が接触して、ロック手段作動装置を反対方向に移動させるように設けられる。
【００１９】
典型的には、足ペダルは、レバー組立体によりジョー移動手段に連結され、ロック手段作動装置は、レバー組立体とは独立して選択的に移動可能な第一及び第二の部材を介してロック手段に連結され、ペダルが位置決定される。典型的に、前記部材は固定ジョーに隣接して取り付けられたロック手段まで延びる。
【００２０】
典型的に、固定ジョーと移動可能ジョーが設けられ、駆動手段は前記移動可能ジョーを前記固定ジョーに向かって移動させる。
【００２１】
１つの実施形態において、移動可能ジョーは、運び台に取り付けられるか、運び台の一体部位として設けられ、運び台は、ロック手段がロック解除されたときに、レバー組立体の操作によって支持体に対して運び台の一部としての移動可能ジョーと共に移動する。
【００２２】
１つの実施形態において、運び台は断面が実質的にｎ字形であり、支持体の一部分を運び台の壁間に画定される空間内に受ける。
【００２３】
１つの実施形態において、移動可能ジョーは、レバー組立体の操作によって前記運び台と支持体との間のラチェット機構が操作された結果として移動され、それによって運び台と移動可能ジョーを固定ジョーに向かって漸次前進させる。
【００２４】
１つの実施形態において、移動可能ジョーはステップ式に移動され、各移動ステップは、レバー組立体を枢動させるための足による操作１回に相当する。
【００２５】
典型的に、レバー組立体は、ラチェットを解除して、移動可能ジョーをもう１ステップ移動させるために、所定の範囲まで移動させる必要がある。
【００２６】
典型的に、ロック手段がロック解除されると、レバー組立体の往復移動は駆動手段を繰り返し操作して、移動可能ジョーを固定ジョーに向かって漸次前進させる。ロック手段がロックされると、移動可能ジョーは所定の位置に保持され、考えられるクランプ力の範囲内で選択されたクランプ力をジョー間に位置する加工物に加えることができ、作業者はレバー組立体との接触したままの状態でいる必要がない。
【００２７】
典型的に、レバー組立体はばねによって付勢されて、レバー組立体を解放すると、レスト位置へと戻る。
【００２８】
１つの実施形態において、支持構造は長尺の支持体を含み、それが画定するレールに沿って、運び台が可動ジョーと共に固定ジョーに向かって、及びそこから離れるように移動できる。典型的に、少なくとも３つの支持脚が支持体を支持面から一定の距離で支持する。１つの実施形態において、支持脚及びレバー組立体は、保管状態と使用中の状態との間で支持体に対して移動可能であるように設けられ、好ましくは、保管状態にあるとき、支持体の長手方向軸に実質的に沿って並ぶ状態となる。
【００２９】
典型的に、解放可能ロックは、使用中の位置にあるときに脚をロックするために設けられる。
【００３０】
１つの実施形態において、支持体は１つ又は複数のローラ、ホイール、又はキャスタを含み、少なくとも器具が保管状態にあるときに、ホイールが支持面に接触した状態で器具を移動させることができる。
【００３１】
１つの実施形態において、ハンドルは、器具が運ばれるか、ことによって、ハンドルを握る作業者によって方向付けられるホイールによる動きが設けられる。
【００３２】
典型的に、レバー組立体と作業者用ペダルのロック手段は、固定ジョーが位置する支持体の端に位置する。
【００３３】
１つの実施形態において、支持体は少なくとも１つのアクセサリを位置決定できる位置決定手段を含む。１つの実施形態において、位置決定手段は、位置決定手段の中に形成された複数のオス及び／又はメス係合手段を有する第一の部位の形態で設けられ、第二の部位に設けられた他方の一致するオス及び／又はメス係合手段を選択的に受容する。
【００３４】
１つの実施形態において、第一の部位は、支持構造に設けられ、第二の部位はアクセサリ部品に設けられる。
【００３５】
１つの実施形態において、係合手段は部位の係合及び解除を、したがって、アクセサリと支持体との係合を滑り移動によって可能にする。
【００３６】
１つの実施形態において、係合手段は鍵穴型のメススロットとマッシュルームピンとして形成される。
【００３７】
１つの実施形態において、ロック手段は別の位置決定組立体を含み、位置決定組立体は第一及び第二の部位の滑り移動を阻止する位置へと移動可能である。１つの実施形態において、位置決定組立体は前記位置へと付勢される。
【００３８】
１つの実施形態において、位置決定手段は、支持体の１端にある固定ジョーの一部として、又は支持体の１端にある固定ジョーの一部に隣接して設けられる。
【００３９】
本発明の他の態様において、第一及び第二のクランプジョーが支持体の中に位置する支持体を含む支持構造により担持される、調節可能に離間された２つのジョーと、前記ジョーの少なくとも一方を他方に対して移動させる手段と、固定ジョーと、を含むクランプ器具が提供され、支持体は少なくとも１つのアクセサリ部品を位置決定できるようにする位置決定手段を含み、前記位置決定手段は、支持体の中に形成された複数のオス及び／又はメス係合手段を有する、支持体に設けられた第一の部位の形態で設けられ、アクセサリ部品に設けられる第二の部位に設けられた、他方の一致するオス及び／又はメス係合部を選択的に受容し、係合手段は、前記部位、したがって、アクセサリ部品と支持体の係合及び解除を可能にする。
【００４０】
典型的に、係合及び解除は、相対的な滑り移動によって実現される。
【００４１】
典型的に、位置決定手段は、第一及び第二の部位の滑り移動を阻止する位置へと移動可能な別の位置決定組立体を含む。１つの実施形態において、位置決定組立体は前記位置へと付勢される。
【００４２】
ここで、本発明の具体的な実施形態を、下記のような添付の図面を参照しながら説明する。
【図面の簡単な説明】
【００４３】
【図１ａ】使用中の状態と、一部が保管状態の本発明による器具を示す。
【図１ｂ】使用中の状態と、一部が保管状態の本発明による器具を示す。
【図２ａ】本発明の１つの実施形態によるロック手段を示す。
【図２ｂ】本発明の１つの実施形態によるロック手段を示す。
【図３ａ】本発明の他の実施形態によるロック手段を示す。
【図３ｂ】本発明の他の実施形態によるロック手段を示す。
【図４ａ】本発明の１つの実施形態による位置決定手段を示す。
【図４ｂ】本発明の１つの実施形態による位置決定手段を示す。
【図４ｃ】本発明の１つの実施形態による位置決定手段を示す。
【図４ｄ】本発明の１つの実施形態による位置決定手段を示す。
【図４ｅ】本発明の１つの実施形態による位置決定手段を示す。
【発明を実施するための形態】
【００４４】
まず図１ａを参照すると、本発明が関係する形態のクランプ器具が示されている。器具２は、支持体４を含み、支持体４には一体のレール６と固定ジョー８が組み込まれている。移動可能ジョー及び運び台の組立体１０が設けられ、移動可能ジョーは立ち上がり、固定ジョーと実質的に平行であり、運び台は実質的にｎ字形であり、運び台の中にレール６を受け、移動可能ジョー及び運び台の組立体はレール６上に、それに沿って移動するように位置する。支持体は支持面１２から一定の距離で、図のような使用中の状態へと移動され、また、それが実質的に長尺の支持体４と沿って並ぶ保管状態へと支持体４に対して旋回されることが可能な脚１４、１６、１８によって位置決定される。図１ｂは、保管状態におけるレバー組立体２０とロック手段３２の、支持体の長手方向軸３４に関する設置状態を示しており、保管状態においては脚１４、１６、１８（図示せず）も長手方向軸３４に実質的に平行である。
【００４５】
ジョー及び運び台の組立体１０の移動は、作業者がレバー組立体２０を足で操作することによって実現され、レバー組立体２０は、組立体の端２４に足ペダル２２を含み、組立体は枢軸２６において支持体４に枢動可能に位置決定される。
【００４６】
足ペダル２２を介したレバー組立体２０の操作は、作業者が片足をペダルの部分２８と接触させて、足ペダル２２、したがってレバー組立体２０を矢印２５により示されるように前後に移動させることによって達成される。この移動は、ペダルをレバー組立体に連結する枢動点２７を通じてレバー組立体に、及び枢軸２６を介してレバー組立体により、次に、移動可能ジョー及び運び台の組立体１０が連結されるラチェット機構へと伝えられて、前進移動作用を移動可能ジョー及び運び台の組立体１０に提供し、固定ジョー８に向かって矢印１１の方向へと移動させる。ジョー８及び１０は、空間１５をジョー８及び１０の間に画定し、空間１５に加工物６４がセットされ、すると、ジョー１０が移動して加工物と接触し、ジョー８と共に加工物を所定の位置に固定する。典型的に、レバー組立体が作業者の足によって所定の距離だけ移動するたびに、移動可能ジョー及び運び台の組立体１０が固定ジョーに向かってステップ式に移動する。移動可能ジョー１０が必要な位置にあり、必要なクランプ力が加えられると、移動可能ジョー１０の位置は、ロック手段を後述のように使用してロックできる。
【００４７】
図１ｂと図２ａ及び図２ｂは、本発明の１つの実施形態による器具のレバー組立体２０とロック手段３２をより詳しく示している。
【００４８】
本発明によれば、レバー組立体の足ペダル２２は、作業者の足が接触して、レバー組立体２０の支持体４に関する枢動と、したがって、移動可能ジョー及び運び台の組立体１０の移動を起こさせるための部分２８を含むことに加えて、ロック手段作動装置部分３０も含み、足ペダルはまた、ロック手段の一部として設けられる部材３８及び４０と枢支連結され３６、これは、ロック位置にあると、レバー組立体の移動が阻止され、したがって、移動させる力が移動可能ジョー及び運び台の組立体１０にかかるのを阻止し、したがって、これを固定されたロック位置に保持し、加工物に加えられているクランプ力を保持する。作業者は典型的に、２つのジョーが加工物をそれらの間に固定する位置にあり、十分なクランプ力が加えられて加工物が所定の位置に保持されているときにロック手段を操作し、作業者は加工物を手で保持する必要がない。それゆえ、またロック手段も足で操作できるため、作業者の手は両方とも空き、常に加工物への作業を実行できる。
【００４９】
足ペダルのロック手段作動部分３０は、第一の下面４２と、第二の、それと対向する上面４４を有する。下面４２は、作業者の足のつま先が選択的に接触し、それによって矢印４６により示されるように上方に反転又は移動するように設けられ、これはロック手段をロック位置へと移動させ、したがってジョー１０を所定の位置にロックさせる。上面４４は、作業者の足の踵が接触することによって選択的に移動され、矢印４８により示されるように下方に移動されて、ロック手段をロック解除位置へと移動させ、したがってジョー１０を自由に移動可能とするように設けられる。
【００５０】
図３ａ、図３ｂは、ロック手段の第二の実施形態を同じ参照番号を使って示しており、何れの場合も、ロック手段の動作は、上述のようにロック手段をペダル２２の部分３０の足による操作を利用して実現されると理解する。
【００５１】
何れの実施形態においても、ロック手段はロックシャフト５２と作動装置部材を含み、これらはペダルの移動の影響を受けて移動する。作動装置部材３８、４０はロックプレートに作用して、これをロックシャフトに対してロック位置とロック解除位置との間で移動させ、したがって、ひいてはロック手段がロック位置にあるときに移動可能ジョー１０の移動が阻止され、解除されると、ジョー１０の移動が再び可能となる。前記部材３８、４０とロックプレートは、ロック手段が係合しているとき、レバー組立体の枢動を阻止することにより、ジョーの移動を阻止するように作用する。
【００５２】
したがって、移動機構のロックとロック解除の他に移動可能ジョーの移動の手を使わない操作が可能になる。
【００５３】
次に、図４ａ〜図４ｅを参照すると、本発明によるアクセサリ部品のための位置決定手段を設けることのできる器具のある実施形態が示されている。アクセサリは、器具を使って他の作業行動を実行できるように提供されても、器具の特定の機能を調整できるように提供されてもよい。
【００５４】
図４ａ〜図４ｃにおいて、アクセサリ部品は厚板６４の形態の加工物のための支持手段６６の形態で示されている。一方の端にスタンド６０が設けられ、それが厚板に固定され、スタンドは器具２から離間されて位置付する。支持体４に本発明による位置決定手段６２が設けられている。位置決定手段は、この例において、アクセサリの一部として設けられる棒状部材６６と係合するように設けられ、またスタンド６０にも取り付けられている。
【００５５】
棒状部材６６は、図４ｄにおいてより詳しく示されており、位置決定手段の１つの部位６８はプレートとして示され、これはこの例では、棒状部材上の固定位置にねじ７０により取り付けられている。位置決定手段６８はオス係合ピン７２を含み、これは図のようにマッシュルームピンである。位置決定手段のプレート６８はまた、穴８４も含む。
【００５６】
位置決定手段の第二の部位７４が図４ｅに示されている。部位７４は支持体の端に設けられ、そこには固定ジョー８が位置する。この部位は、ピン７２を受容するための、それと一致するメス鍵穴型スロット７６を含む。また、部位６８の穴８４に受容されることになるピン７８も設けられ、ピンは第二の部位７４の通路を位置決定組立体８０から貫通し、面８２の外側に突出するように付勢される。
【００５７】
位置決定手段の２つの部位６８、７４を係合させるために、それぞれの部位の面８６及び８２は、部位６８のピン７２が部位７４のそれぞれの鍵穴型スロット７６のヘッド部分へと移動するように合わせられる。面を相互に向かってこのように移動させることにより、ピン７８もまた、位置決定組立体８０の中のピンの付勢力に対抗して移動し、面８２と実質的に平らになる。
【００５８】
ピン７２がそれぞれの鍵穴型スロット７６の中にあるとき、図４ｅに示される矢印８８の方向への部位６８の相対的滑り移動によって、部位７２は鍵穴型スロット７６の、より狭い部分の中へと移動し、ピン７２が完全に所定の位置にあると、部位６８の穴８４は部位７４のピン７８と整合し、それによってピン７８は組立体８０のバネの影響を受けて自由に移動し、穴８４の中に突出して、２つの部位６８、７４を所定の位置にロックし、滑り移動を阻止する。
【００５９】
部位６８、７４を解放するために、組立体８０を握り、方向９０に移動させて、ピン７８を穴８４から出るようにし、部品６８、７４が方向９２へと滑り移動できるようにする。
【００６０】
このように、本発明によって、加工物を加工するためにクランプ力で位置決定するための、操作の容易さと安全性の向上を可能にするクランプ器具が提供される。本発明は、また特定の加工要求に対して使用する器具で選択的に位置決定するために、様々なアクセサリ部品の位置と使用を提供する。
【図１ａ】
2017213673.tif 000003
【図１ｂ】
2017213673.tif 000004
【図２ａ】
2017213673.tif 000005
【図２ｂ】
2017213673.tif 000006
【図３ａ】
2017213673.tif 000007
【図３ｂ】
2017213673.tif 000008
【図４ａ】
2017213673.tif 000009
【図４ｂ】
2017213673.tif 000010
【図４ｃ】
2017213673.tif 000011
【図４ｄ】
2017213673.tif 000012
【図４ｅ】
2017213673.tif 000013
【外国語明細書】
2017213673.tif 000014
2017213673.tif 000015
2017213673.tif 000016
2017213673.tif 000017
2017213673.tif 000018
2017213673.tif 000019
2017213673.tif 000020
2017213673.tif 000021
2017213673.tif 000022
2017213673.tif 000023
2017213673.tif 000024
2017213673.tif 000025
2017213673.tif 000026
2017213673.tif 000027
2017213673.tif 000028
2017213673.tif 000029
2017213673.tif 000030
2017213673.tif 000031
2017213673.tif 000032
2017213673.tif 000033
2017213673.tif 000034
2017213673.tif 000035
2017213673.tif 000036
2017213673.tif 000037
2017213673.tif 000038
2017213673.tif 000039
2017213673.tif 000040